(57)【要約】      （修正有）【課題】取り扱いが簡便で、かつ、生産性にも優れた小型の温度補償型水晶発振器を提供する。【解決手段】内部に水晶振動素子１１を収容している矩形状の容器体１を支持基体２上に固定させるとともに、支持基体２の下面に、水晶振動素子１１の発振周波数を温度に対応した温度補償データに基づいて発振周波数を補正して出力するＩＣ素子３５と、ＩＣ素子３５に温度補償データを書き込むための金属バンプから成る書込制御端子３２と、金属バンプから成る実装脚部５とを取着させ、ＩＣ素子３５、書込制御端子３２、実装脚部５を樹脂材３６で被覆された温度補償型水晶発振器の製造方法において、金属バンプから成る書込制御端子３２と実装脚部５とを同時に支持基体２に形成し、その後ＩＣ素子３５、書込制御端子３２、実装脚部５を樹脂材３６で被覆する。 【選択図】図１
2006279873.tif 000002
【特許請求の範囲】
【請求項１】
内部に水晶振動素子を収容している矩形状の容器体を支持基体上に固定させるとともに、該支持基体の下面に、水晶振動素子の発振周波数を温度に対応した温度補償データに基づいて発振周波数を補正して出力するＩＣ素子と、前記ＩＣ素子に温度補償データを書き込むための金属バンプから成る書込制御端子と、金属バンプから成る実装脚部とを取着させ、前記ＩＣ素子、前記書込制御端子、前記実装脚部を樹脂材で被覆された温度補償型水晶発振器の製造方法において、
前記金属バンプから成る前記書込制御端子と前記実装脚部とを同時に前記支持基体に形成し、その後前記ＩＣ素子、前記書込制御端子、前記実装脚部を樹脂材で被覆することを特徴とする温度補償型水晶発振器の製造方法。
【請求項２】
請求項１記載の支持基体には、マトリクス状に配列する温度補償型水晶発振器を形成し、樹脂材で被覆した後に個片にダイシングすることを特徴とする温度補償型水晶発振器の製造方法。
【発明の詳細な説明】
【技術分野】
【０００１】
本発明は、携帯用通信機器等の電子機器に用いられる温度補償型水晶発振器に関するものである。
【背景技術】
【０００２】
従来より、携帯用通信機器等の電子機器に温度補償型水晶発振器が用いられている。
【０００３】
かかる従来の温度補償型水晶発振器としては、例えば図５に示す如く、内部に図中には示されていないが、水晶振動素子が収容されている第１の容器体２３を、キャビティ部２５内に前記の水晶振動素子の振動に基づいて発振出力を制御するＩＣ素子２６やコンデンサ等の電子部品素子が収容されている第２の容器体２１上に取着させた構造のものが知られており、かかる温度補償型水晶発振器をマザーボード等の外部配線基板上に載置させた上、第２の容器体２１の下面に設けられている外部端子を外部配線基板の配線に半田接合することにより外部配線基板上に実装される。
【０００４】
なお、第１の容器体２３や第２の容器体２１は、通常、セラミック材料によって形成されており、その内部や表面には配線導体が形成され、従来周知のセラミックグリーンシート積層法等を採用することにより製作される。
【０００５】
また、前記ＩＣ素子２６の内部には、水晶振動素子の温度特性に応じて作成された温度補償データに基づいて温度補償型水晶発振器の発振周波数を補正するための温度補償回路が設けられており、温度補償型水晶発振器を組み立てた後、上述の温度補償データをＩＣ素子２６のメモリ内に格納すべく、第２の容器体２１の下面や外側面等には温度補償データ書込用の書込制御端子２７が設けられていた。この書込制御端子２７に温度補償データ書込装置のプローブ針を当ててＩＣ素子２６内のメモリに温度補償データを入力することにより、温度補償データがＩＣ素子２６のメモリ内に格納される。
【特許文献１】特開２００３−３１８６５３号公報  なお出願人は前記した先行技術文献情報で特定される先行技術文献以外には、本発明に関連する先行技術文献を、本件出願時までに発見するに至らなかった。
【発明の開示】
【発明が解決しようとする課題】
【０００６】
しかしながら、上述した従来の温度補償型水晶発振器の書込制御端子２７が第２の容器体２１の外側の面に配置させてある場合、第２の容器体２１の製作に用いられるセラミック製の母基板に貫通穴を開け、その内面に導体パターンを被着させるといった複雑な加工プロセスが必要となり、温度補償型水晶発振器の生産性が著しく低下するという欠点を有していた。
【０００７】
他方、書込制御端子２７を第２の容器体２１の下面に配置させた場合、第２の容器体２１の下面には書込制御端子２７を配置させておくための広いスペースが必要となり、第２の容器体２１の大型化を招く上に、温度補償型水晶発振器をマザーボード等の外部配線基板上に搭載する際に両者の接合に用いられる半田等の一部が書込制御端子２７に付着し易く成るおそれが生じ、このような半田を介し書込制御端子２７と外部端子との間でショートを発生する欠点が誘発されるおそれがあった。
【０００８】
本発明は上記欠点に鑑み考え出されたものであり、従ってその目的は、取り扱いが簡便で、かつ、生産性にも優れた小型の温度補償型水晶発振器および温度補償型水晶発振器の製造方法を提供することにある。
【課題を解決するための手段】
【０００９】
本発明の温度補償型水晶発振器の製造方法は、内部に水晶振動素子を収容している矩形状の容器体を支持基体上に固定させるとともに、該支持基体の下面に、水晶振動素子の発振周波数を温度に対応した温度補償データに基づいて発振周波数を補正して出力するＩＣ素子と、前記ＩＣ素子に温度補償データを書き込むための金属バンプから成る書込制御端子と、金属バンプから成る実装脚部とを取着させ、前記ＩＣ素子、前記書込制御端子、前記実装脚部を樹脂材で被覆された温度補償型水晶発振器の製造方法において、前記金属バンプから成る前記書込制御端子と前記実装脚部とを同時に前記支持基体に形成し、その後前記ＩＣ素子、前記書込制御端子、前記実装脚部を樹脂材で被覆することを特徴とする。
【００１０】
また、本発明の温度補償型水晶発振器の製造方法は、上記製造方法において支持基体には、マトリクス状に配列する温度補償型水晶発振器を形成し、樹脂材で被覆した後に個片にダイシングすることを特徴とする。
【発明の効果】
【００１１】
本発明の温度補償型水晶発振器の製造方法によれば、金属バンプから成る書込制御端子と実装脚部とを同時に支持基体に形成し、その後ＩＣ素子、書込制御端子、実装脚部を樹脂材で被覆することから、シート状基板の状態で前記一連の製造工程を行うことができるので、温度補償型水晶発振器の作業性、生産性の向上が可能となる。
【発明を実施するための最良の形態】
【００１２】
以下、本発明を添付図面に基づいて詳細に説明する。なお、各図においての同一の符号は同じ対象を示すものとする。
【００１３】
図１は本発明の実施形態にかかる温度補償型水晶発振器の断面図である。図１に図示する温度補償型水晶発振器は大略的に言って、容器体１と、実装脚部５、水晶振動素子１１、書込制御端子３２、ＩＣ素子３５、樹脂材３６とで構成されている。図１に図示する温度補償型水晶発振器は、キャビティー部１０に水晶振動素子１１を収容した容器体１を支持基体２上に固定し、支持基体２の底面の四隅部に外部端子電極６が設けられている。外部端子電極６には実装脚部５が接続され、かつ固定させるとともに、温度補償型水晶発振器の長辺側の実装脚部５間には、回路基板領域Aと捨代領域Ｂを跨って２個の書込端子電極３１が形成され、書込端子電極３１には金属バンプから成る書込制御端子３２が接続され固定されている。また、四隅部の実装脚部５間に位置する容器体１の下面にＩＣ素子３５を搭載した構造を有しおり、ＩＣ素子３５の外側位置に配置する実装脚部５、書込制御端子３２と、ＩＣ素子３５とは樹脂材３６で被われ、実装脚部５の表面は、樹脂材３６表面から僅かに露出した構造となっている。
【００１４】
図２はシート状基板３３から切断された１個の回路基板領域Ａを示したものである。また、図３はシート状基板３３の下面図であり、図４はシート状基板３３にＩＣ部品３５および実装脚部５、書込制御端子３２を搭載し、樹脂材３６を塗布注入した状態の下面図である。
【００１５】
前記容器体１は、例えば、ガラス−セラミック、アルミナセラミックス等のセラミック材料から成る支持基体２、支持基体２と同様のセラミック材料から成る側壁３、４２アロイやコパール、リン青銅等から成る蓋体４から成り、前記支持基体２の上面に側壁３を取着させ、その上面に蓋体４を載置し固定させることによって容器体１が構成され、側壁３の内側に位置する支持基体２の上面に導電性接着剤１２を介して水晶振動素子１１が実装される。前記容器体１はその内部に、具体的には、支持基体２の上面と側壁３の内面と蓋体４の下面とで囲まれるキャビティー部１０内に水晶振動素子１１を収容して気密封止するためのものである。 
【００１６】
一方、前記容器体１のキャビティー部１０に収容される水晶振動素子１１は、所定の結晶軸でカットした水晶片の両主面に一対の振動電極を被着・形成してなり、外部からの変動電圧が一対の振動電極を介して水晶片に印加されると、所定の周波数で厚みすべり振動を起こす。 
【００１７】
また一方で図１、図２に図示するように、上述した支持基体２の下面には、四隅部に形成された外部端子電極６に実装脚部５が接続・固定され、支持基体２の下面の長辺側には回路基板領域Aと捨代領域Ｂの境界面に２個の書込端子電極３１が形成され、書込端子電極３１には書込制御端子３２が接続・固定されている。
また、これら四隅部の実装脚部５間に位置する支持基体２の下面には、矩形状に形成されたフリップチップ型のＩＣ素子３５が搭載されており、ＩＣ素子３５は導電性接着剤３４を介して支持基体２に接続されている。また、ＩＣ素子３５と実装脚部５、書込制御端子３２とは樹脂材３６で覆われており、実装脚部５の表面は、樹脂材３６表面から僅かに露出した構造となっている。ここで、実装脚部５と書込制御端子３２とは同一の金属材料からなる金属バンプからなり、本実施形態においては、実装脚部５の金属バンプ形状を書込制御端子の金属バンプ形状よりも大きく形成している。
【００１８】
前記ＩＣ素子３５はその回路形成面に、周囲の温度状態を検知する感温素子、水晶振動素子１１の温度特性を補償する温度補償データを有し、温度補償データに基づいて前記水晶振動素子１１の振動特性を温度変化に応じて補正する温度補償回路、温度補償回路に接続されて所定の発振出力を生成する発振回路等が設けられており、発振回路で生成された発振出力は、外部に出力された後、例えばクロック信号等の基準信号として利用されることとなる。ここで水晶振動素子１１とＩＣ素子３５は図１に図示する支持基体２の内層に設けられたメタライズ配線１３により接続されている。また、図１に図示するように、ＩＣ素子３５と実装脚部５や書込制御端子３２は支持基体２の内層に設けられたメタライズ配線１３により接続されている。 
【００１９】
また、図３は本発明の実施形態である温度補償型水晶発振器のシート状基板３３の下面図であり、図４においてはシート状基板３３に、ＩＣ素子３５、実装脚部５、書込制御端子３２を搭載し樹脂材３６を注入した状態を示している。また、図３においては、個々の回路基板領域Aにはその長辺側に各々２個の書込端子電極３１が捨代領域Ｂを跨ぐように形成されており、回路基板領域Ａの四隅部に外部端子電極６が形成されている。
【００２０】
次に上述した温度補償型水晶発振器の製造方法について、本発明の実施形態である図２、図３を用いて説明する。 まず、図３に図示するように、縦ｍ列×横ｎ行（ｍ、ｎは２以上の自然数）のマトリクス状に配列された複数個のキャビティー部１０を有するシート状基板３３を準備する。次に、図１に図示するように各キャビティー部１０に水晶振動素子１１と水晶振動素子１１を囲繞する側壁３とを搭載する。各キャビティー部１０には、その上面側に一対の接続パッドと接合用の導体層が被着・形成されている。また、各キャビティー部１０と相反する面の回路基板領域Ａの四隅部には、外部端子電極６が先の図１に図示するように被着して形成されている。 
【００２１】
このようなシート状基板３３は、例えば、アルミナセラミックス等から成るセラミック材料粉末に適当な有機溶剤等を添加し更に混合して得たセラミックグリーンシートの表面等に、接続パッドや外部端子電極６等となる導体ペーストを所定のパターンに印刷して塗布するとともに、これを複数枚積層してプレス成形した後、高温で焼成することによって製作される。 
【００２２】
なお、シート状基板３３には、マトリクス状に配列された個々の温度補償型水晶発振器の間に図３に図示するように所定の捨代領域Ｂが設けられている。この捨代領域Ｂには各温度補償型水晶発振器の長辺側にそれぞれ２個の書込端子電極３１が回路基板領域Aを跨ぐように形成されている。そして、キャビティー部１０を有するシート状基板３３に形成される側壁３の内側に水晶振動素子１１を１個ずつ搭載する。水晶振動素子１１はその振動電極とシート状基板３３上面の対応する搭載パッドとを導電性接着剤１２を介して電気的・機械的に接続することによってシート状基板３３上に搭載される。 
【００２３】
また、シート状基板３３のキャビティー部１０と１対１に対応する複数個のカバー（蓋）領域を有する金属製の蓋体４を、水晶振動素子１１が封止されるように側壁３上に載置・接合する。前記蓋体４としては、例えば、４２アロイやコバール，リン青銅等の金属から成る厚みが６０μｍ〜１００μｍの金属板が用いられ、このような蓋体４にも、先に述べたシート状基板３３と同様に、各カバー領域間に所定の捨代領域が設けられている。 
【００２４】
この工程では、蓋体４を各カバー（蓋）領域の内側に対応するキャビティー部１０領域に水晶振動素子１１が配されるようにしてシート状基板３３上面の側壁３上に載置させ、しかる後に両者を従来から周知の金すず封止等により接合することによって蓋体４が側壁３の上面に取着し固定される。なお、上述した一連の接合工程は、窒素ガスやアルゴンガス等の不活性ガス雰囲気中で行うのが好ましく、これによって水晶振動素子１１が収納される空間には不活性ガスが充満されるため、水晶振動素子１１が酸素や大気中の水分等によって腐食して劣化するおそれを有効に防止することができる。 
【００２５】
次に図３に示すようにシート状基板３３下面の外部端子電極６上に金属バンプから成る実装脚部５を、また、書込端子電極３１上に金属バンプから成る書込制御端子３２を一個ずつ搭載し導電性接着剤３４を介して電気的・機械的に接続する。次に外部端子電極６で囲まれる領域にＩＣ素子３５を１個ずつ搭載する。ＩＣ素子３５は、その接続電極とシート状基板３３下面の対応する搭載パッドとを導電性接着剤３４を介して電気的・機械的に接続することによってシート状基板３３に搭載される。その後、実装脚部５の全面が覆われるように樹脂材３６をシート状基板３３に塗布注入する。次に樹脂材３６硬化後、金属バンプから成る実装脚部５の表面が露出するまで研磨する。
【００２６】
そして、ＩＣ素子３５は、その回路形成面に周囲の温度状態を検知する感温素子や水晶振動素子１１の温度特性を補償する温度補償データを有し、温度補償データに基づいて水晶振動素子１１の振動特性を温度変化に応じて補正する温度補償回路を有するＩＣ素子３５へ、温度補償型水晶発振器の仕様を所望の数値となるように、書込制御端子３２よりビットデータを入力し温度補償データの書き込みを行う。また、本発明の実施形態においては、書込制御端子３２をシート状基板３３の回路基板領域Ａと捨代領域Ｂを跨って形成したことから、ＩＣ素子３５搭載面の省スペース化が可能となり、温度補償型水晶発振器の更なる小型化が可能となる。
【００２７】
最後に、シート状基板３３を各回路基板領域Aの外周に沿って一括的に分割・切断（ダイシング）し、これによって複数個の温度補償型水晶発振器が同時に製作される。  また、シート状基板３３の切断（ダイシング）は、例えば、ダイサー等を用いて、これらの部材を一括的に切断（ダイシング）することによって行われ、これによって複数個の温度補償型水晶発振器が同時に得られる。
【００２８】
ここで、本発明の特徴部分は図１、図２に図示するように、書込制御端子３２を温度補償型水晶発振器の長辺側の回路基板領域Ａと捨代領域Ｂを跨って配置することで、金属バンプからなる書込制御端子３２を切断（ダイシング）により、回路基板領域Aと捨代領域Ｂに分割した際に、書込制御端子３２の切断面を温度補償型水晶発振器の側面から露出させた点であり、これにより、温度補償型水晶発振器を個片に切断後でも温度補償型水晶発振器の側面からのデータ入力が可能となる。
【００２９】
また、上述したように、実装脚部５と書込制御端子３２を配置した後から実装脚部５とＩＣ素子３５を樹脂材３６で被うことから、実装脚部５、書込制御端子３２、ＩＣ素子３５の搭載及び樹脂材３６の塗布注入をすべてシート状基板３３の状態で処理することができるので、温度補償型水晶発振器の生産性、作業性の向上が可能となる。
【００３０】
なお、本発明は上述の実施形態に限定されるものではなく、本発明の要旨を逸脱しない範囲において種々の変更、改良等が可能である。
【００３１】
例えば上述の実施形態においては、金属バンプから成る実装脚部５、書込制御端子３２に円球状の金属バンプを用いているが、楕円球状、または半球状としても構わない。この場合も本発明の技術的範囲に含まれることは言うまでも無い。
【図面の簡単な説明】
【００３２】
【図１】本発明の実施形態にかかる温度補償型水晶発振器の概略の断面図である。
【図２】本発明のシート状基板から切断された１個の回路基板領域の下面図である。
【図３】本発明の実施形態にかかる温度補償型水晶発振器に用いられるシート状基板の概略の下面図である。
【図４】本発明の実施形態にかかる温度補償型水晶発振器に用いられるシート状基板に、ＩＣ素子、実装脚部、書込制御端子を搭載し樹脂材を注入した状態の概略の下面図である。
【図５】従来の温度補償型水晶発振器の概略の斜視図である。
【符号の説明】
【００３３】
１・・・容器体
２・・・支持基体
３・・・側壁
４・・・蓋体
５・・・実装脚部
６・・・外部端子電極
１０・・・キャビティー部
１１・・・水晶振動素子
１２・・・導電性接着剤
１３・・・メタライズ配線
３１・・・書込端子電極
３２・・・書込制御端子
３３・・・シート状基板
３４・・・導電性接着剤
３５・・・ＩＣ素子
３６・・・樹脂材
Ａ・・・回路基板領域
Ｂ・・・捨代領域
【図１】
2006279873.tif 000003
【図２】
2006279873.tif 000004
【図３】
2006279873.tif 000005
【図４】
2006279873.tif 000006
【図５】
2006279873.tif 000007